(57)【要約】  容器（１２）及び容器用のスリーブ（１０）において、熱い飲料からの熱を、熱い空気を上方及び下方へ逃がすことによって逸らすために、独自の空気流路を採用している容器とスリーブが開示されている。容器及びスリーブの面は、隆起形象、陥没形象（２２）、又は両形象の組合せを含んでおり、それら形象は、概して、実質的に垂直方向の列に整列されている。列（２６）同士の間の空間は空気流路を画定している。空気流路は、実質的に中断がなく、熱い空気を上方及び下方へ逃げ易くする。形象は、エンボス加工及び／又はデボス加工などにより適用されており、材料の製造の効率性が高まり、従って、材料費及び環境的廃棄物が減少する。容器又はスリーブ用のブランク、及びスリーブを作る方法も開示されている。
2012515052.tif 000002
【特許請求の範囲】
【請求項１】
容器を包囲するためのスリーブにおいて、
第１縁及び第２縁と、それらの縁の間の面と、を有する本体を備えており、
前記スリーブは前記面に亘る隆起又は陥没形象を含んでおり、
前記形象は、前記スリーブの前記第１縁で始まり前記スリーブの前記第２縁で終わる列に配列されており、
前記列同士の間の間隙は、前記第１縁から前記第２縁まで実質的に中断のない空気流路を画定している、スリーブ。
【請求項２】
前記形象は、更に、略矩形状で端部が曲線状となっている、請求項１に記載のスリーブ。
【請求項３】
前記略矩形の形状は、Ｘ−Ｙ面内では平面多角形状、Ｚ面内では曲線状である、請求項２に記載のスリーブ。
【請求項４】
前記形象は、数ミリメートル、好適には１ｍｍから略５ｍｍまでの深さを有している、請求項１に記載のスリーブ。
【請求項５】
前記形象は、実質的に、垂直方向に互いから離間して、列を作成している、請求項１に記載のスリーブ。
【請求項６】
前記流路は、垂直方向のピッチにおいて、前記スリーブの上部から下部までの垂直方向軸に対し略Θ＝０°から略Θ＝６０°まで、好適には大凡Θ＝４５°までのピッチを有している、請求項１に記載のスリーブ。
【請求項７】
前記形象の列は、数ミリメートル、好適には略１ｍｍから５ｍｍまでの間隙で、それぞれから離間されている、請求項１に記載のスリーブ。
【請求項８】
前記形象は、更に、隆起形象と陥没形象を備える対をなすように配列されている、請求項１に記載のスリーブ。
【請求項９】
前記形象は、更に、実質的に垂直方向の空気流路を画定するオフセットパターンに配列されている、請求項８に記載のスリーブ。
【請求項１０】
前記面は、隆起形象の列を陥没形象の列と交互にして備えている、請求項１に記載のスリーブ。
【請求項１１】
前記面は、隆起形象の列を備えている、請求項１に記載のスリーブ。
【請求項１２】
前記面は、陥没形象の列を備えている、請求項１に記載のスリーブ。
【請求項１３】
スリーブを形成するための方法において、
シート材料の面に形象を形成する工程であって、前記形象は、前記スリーブの第１縁で始まり前記スリーブの第２縁で終わる列に配列され、前記列は、互いから離間されて間隙を画定し、該間隙は、実質的に中断のない空気流路を画定する工程とし、
前記シート材料にブランクを画定する切れ目を入れる工程であって、前記ブランクは第１縁と第２縁を有する長形本体を備えている、切れ目を入れる工程と、
から成る方法。
【請求項１４】
前記形象は隆起している、請求項１３に記載の方法。
【請求項１５】
前記形象は陥没している、請求項１３に記載の方法。
【請求項１６】
前記形象はエンボス加工により形成されている、請求項１３に記載の方法。
【請求項１７】
前記形象はデボス加工により形成されている、請求項１３に記載の方法。
【請求項１８】
前記形象は、エンボス加工とデボス加工の組合せにより形成されている、請求項１３に記載の方法。
【請求項１９】
前記シート材料から前記ブランクを切り取る工程を更に含んでいる、請求項１３に記載の方法。
【請求項２０】
前記ブランクの端を接合してスリーブを形成する工程を更に含んでいる、請求項１３に記載の方法。
【請求項２１】
側面と、本体と、液体を受け入れるための開口と、を含んでいる容器において、前記本体は、更に、
第１縁及び第２縁と、それらの縁の間の面と、を備えており、
前記容器は、前記面に亘る隆起又は陥没形象を含んでおり、
前記形象は、前記スリーブの前記第１縁で始まり前記スリーブの前記第２縁で終わる列に配列されており、
前記列同士の間の間隙は、前記第１縁から前記第２縁まで実質的に中断のない空気流路を画定している、容器。
【請求項２２】
前記形象は、更に、略矩形状で端部が曲線状とされている、請求項２１に記載の容器。
【請求項２３】
前記矩形の形状は、Ｘ−Ｙ面内では平面多角形状、Ｚ面内では曲線状である、請求項２２に記載の容器。
【請求項２４】
前記形象は、数ミリメートル、好適には略１ｍｍから略５ｍｍまでの深さを有している、請求項２１に記載の容器。
【請求項２５】
前記形象は、実質的に、垂直方向に互いから離間して、列を作成している、請求項２１に記載の容器。
【請求項２６】
前記流路は、垂直方向のピッチにおいて、前記スリーブの上部から下部までの垂直方向軸に対し略Θ＝０°から略Θ＝６０°まで、好適には略Θ＝４５°までのピッチを有している、請求項２１に記載の容器。
【請求項２７】
前記形象の列は、数ミリメートル、好適には略１ｍｍから５ｍｍまでの間隙で、それぞれから離間されている、請求項２１に記載の容器。
【請求項２８】
前記形象は、隆起形象と陥没形象を備える対に配列されている、請求項２１に記載の容易器。
【請求項２９】
前記形象は、更に、垂直方向の空気流路を画定するオフセットパターンに配列されている、請求項２８に記載の容器。
【請求項３０】
前記面は、隆起形象の列を陥没形象の列と交互にして備えている、請求項１に記載の容器。
【請求項３１】
前記面は、隆起形象の列を備えている、請求項２１に記載の容器。
【請求項３２】
前記面は、陥没形象の列を備えている、請求項２１に記載の容器。
【請求項３３】
外包みを更に含んでいる、請求項２１に記載の容器。
【発明の詳細な説明】
【技術分野】
【０００１】
本発明は、容器及び容器を包囲するための保護スリーブに関する。
【背景技術】
【０００２】
熱い又は冷たい飲料や食料（例えば、コーヒー、紅茶、ソフトドリンク、スープなど）は、飲用カップの様な容器へ小出しされたとき、消費者に取り扱い上の問題を提起することがある。例えば、単層壁の紙又はプラスチック製飲用カップは、大抵、熱い又は冷たい飲料で満たされたときに十分な熱絶縁性を提供していない。結果として、その様な容器の扱いは、消費者にとって快適というわけにはいかない。
【発明の概要】
【０００３】
容器及び容器を包囲するための保護スリーブが開示されている。容器及びスリーブは、第１縁と第２縁及びそれらの縁の間の面を有する本体を含んでいる。当該面には、独自の設計の隆起及び／又は陥没形象が、規則正しくても又は不規則であってもよいとされるパターンが形成されている。隆起及び／又は陥没形象のパターンは、概して、第１縁から第２縁まで実質的に中断のない空気流路を作り出している。
【０００４】
当業者には、添付の図及び以下の詳細な説明を考察すれば、本発明の他のシステム、方法、特徴、及び利点が明らかであろう、又は明らかになってくるであろう。全てのその様な付加的なシステム、方法、特徴、及び利点は、本記載内容に含まれ、本発明の範囲に含まれ、付随の特許請求の範囲によって保護されるものとする。
【図面の簡単な説明】
【０００５】
【図１】カップと共に組み立てられたスリーブの斜視図である。
【図２Ａ】組み立て前のスリーブの図である。
【図２Ｂ】組み立て後のスリーブの上面図である。
【図３】例示的な形象を示すグラフである。
【図４Ａ】組み立て前のスリーブの図である。
【図４Ｂ】組み立て後のスリーブの上面図である。
【図５Ａ】組み立て前のスリーブの図である。
【図５Ｂ】組み立て後のスリーブの上面図である。
【図６Ａ】組み立て前のスリーブの図である。
【図６Ｂ】組み立て後のスリーブの上面図である。
【図７】複数の組み立て前のスリーブの例示的な図である。
【図８】組み立て前のスリーブの例示的な図である。
【図９】組み立て前のスリーブの例示的な図である。
【図１０】組み立て前のスリーブの例示的な図である。
【図１１】組み立て前のスリーブの例示的な図である。
【図１２】組み立て前のスリーブの例示的な図である。
【図１３】組み立て前のスリーブの例示的な図である。
【図１４】組み立て前のスリーブの例示的な図である。
【図１５】組み立て前のスリーブの例示的な図である。
【図１６】組み立て前のスリーブの例示的な図である。
【図１７】組み立て前のスリーブの例示的な図である。
【図１８】例示的な容器の斜視図である。
【図１９】保護スリーブを作る方法の流れ線図である。
【発明を実施するための形態】
【０００６】
容器及び容器と共に使用するための保護スリーブが開示されている。スリーブは、本明細書に開示されている容器を含め、カップの様な容器と共に使用することができる。スリーブは、カップの様な容器上に設置されたとき、容器と使用者の手の間に熱的な障壁を提供することができる。スリーブの上部から下部までの幅は、例えば成人の手の少なくとも指２本分の幅に近似し、形状は親指と少なくとも３本の指をスリーブに添えるのに対応したものとすることができる。
【０００７】
容器は、単独で使用されてもよいし、スリーブと共に使用されてもよく、例えば、限定するわけではないが、ここに開示されているスリーブと共に使用することができる。容器は、例えば、カップやスープ容器、又はコーヒー、紅茶、ソフトドリンク、スープなどの様な液状物を保持するための別の容器であってもよい。容器は、スリーブについてここに開示されているのと同じ原理を適用しながら、例えば、スリーブブランクにサイズ及び形状について僅かに修正を加えたり、容器底部及び随意的な容器リップ部を追加したりすることにより製造することができる。
【０００８】
本開示は、独自の設計の隆起及び／又は陥没形象をスリーブブランク又は容器ブランクへ形成ことに関する。形象は、ブランクの面に、規則正しくても又は不規則であってもよいとされるパターンで形成することができる。例えば、形象は、形象の列として形成されていてもよい。列は、列と列の間に空隙が残るように配列することができる。空隙は、水平方向の絶縁をもたらす空気流路を提供することができる。流路は、連続しており、実質的に中断がない。スリーブ又は容器の熱的性質は、開示されている流路の存在により、例えば容器と容器を把持する手の間の伝熱率が低下することによって向上する。
【０００９】
形象は、エンボス加工、デボス加工、又は両方の製法（例えばインライン又はオフライン回転式金型又はプラッタ金型）により、スリーブ及び／又は容器のブランクの面に形成することができる。エンボス加工、デボス加工、又は両方を使用して、実質的に中断のない空気流路を容器又はスリーブに形成すれば、空気流路を作成する他の方法、例えば波状加工などを使用している容器又はスリーブに比べ、使用されるシート材料の量を削減することができる。例えば、エンボス加工、デボス加工、又は両方を使用して、一重の材料シートに空気流路を作成すれば、それにより多重シートスリーブの熱的障壁に似せることができる。保護スリーブの製造に使用されるシート材料の量が削減されれば、廃棄物が減り、環境にとってより良くなる。本開示は、多くの異なった形象配列及び形象形状を示しているが、それらは全て説明のためであり制限を課すためではない。
【００１０】
保護スリーブ１０は、図１に示されている様に、容器１２と組み合わせて配置することができる。容器１２は、テーパが付けられていてもよく、基底１４と周縁１６を有するものとすることができる。容器１２は、プラスチック、発泡体、紙、又はその他の材料から製造することができ、熱い又は冷たい食料や飲料を保持するように適合されていてもよい。
【００１１】
スリーブ１０は、容器１２の周囲を完全に包囲するように、容器１２と組み合わされていてもよい。スリーブ１０は、摩擦や不堅牢な糊又は不堅牢ではない糊などにより、容器１２に取り付けることができる。代わりに、スリーブは容器と一体化されていてもよい。スリーブ１０は、例えば、板紙、厚紙、プラスチック、発泡体、セルロース系繊維、白色新紙、褐色再生紙、又は他の材料から製造することができ、再利用又は堆肥化できるものであってもよい。
【００１２】
スリーブ１０は、第１縁１８と第２縁２０とを含んでいて、それらはスリーブの上部と下部としてもよいし又はその逆としてもよい。第１縁１８と第２縁２０は、テーパの付けられた容器又はテーパの付けられていない容器を含め、容器１２に合うサイズとすることができる。
【００１３】
保護スリーブ１０は、スリーブ１０の長形ブランクの端同士を一体に締結して連続した円にすることにより形成することができる。スリーブの接合端は、例えば、糊、ノッチ及びスロットの配設、又は他の方法により、締結することができる。スリーブ１０は、容器を組み立て後のスリーブに挿入することによるか、或いは代わりに、スリーブ１０の長形ブランクを容器の周りに巻き付けることにより、容器に貼着することができる。
【００１４】
図２Ａは、組み立て前の状態にある或る例示的なスリーブ１０を示している。この例及び以下に続く図２Ａ及び図４から図１７の例にあるブランク１０（スリーブブランクとして示されている）は、僅かな修正（例えば、サイズ又は形状の修正）を加えれば、図１８の容器１８００又は図１のスリーブ１０のどちらについてもブランクとして使える。スリーブ１０は、第１縁１８と第２縁２０を含んでいて、それらはスリーブ１０の上部と下部としてもよいし又はその逆としてもよい。スリーブ１０は、更に、第１縁１８と第２縁２０の間を延びる第１面２１と第２面２３を含むことができる。第１面２１と第２面２３は、スリーブ又は容器の内面と外面としてもよいし又はその逆としてもよい。例えば、図２Ｂの第１面２１は使用者の手に触れる第１面とし、第２面２３は図１の容器１２に触れる内面としてもよい。
【００１５】
この例では、スリーブ１０は、隆起形象２２を含んでいる。この例の形象２２は、エンボス加工及び／又はデボス加工の製法（例えば、回転式金型又はインライン金型）により、スリーブ１０に形成することができ、スリーブ又は容器のブランク１０の上部１８で始まりスリーブ又は容器のブランク１０の下部２０で終わる列２６に配列することができる。形象２２は、この例での様にスリーブ１０上にパターンを形成するように配置されていてもよいし、及び／又は形象２２は、ここで開示されている他の例での様にスリーブ１０上に不規則に置かれていてもよい。更には、形象２２は、列２６がスリーブの弧に従うように配置されていてもよいし、或いは形象がシート材料の面と水平になるように配置されていてもよい。
【００１６】
それぞれの形象２２は形状を有することができる。この例は、曲線状の端を有する略矩形の形象２２を示している。しかしながら、形象２２は、如何なる形状であってもよく、例えば、限定するわけではないが、方形、多角形、三角形、円形、ダイヤモンド形、又はそれらの任意の組合せとすることができる。この例の形象２２は、例えば１ｍｍから３ｍｍまでの深さを有することができる。しかしながら、他の深さが使用されていてもよい。
【００１７】
この例の形象２２は、スリーブ１０に、スリーブ１０の第１縁１８から第２縁２０までの様な列２６状に形成することができる。形象２２は、互いから離間していてもよいし、連続していてもよい。互いから離間させる場合、形象２２は、製造能力に基づいて実現でき得る最も詰まった間隙から数ミリメートルまでの間隙、或いは、より具体的にいうと略２ｍｍから略５ｍｍまでの間隙、を有することができる。スリーブ１０の形象２２は、空隙又は空気流路を画定するように配置することができ、例えば、形象２２は空気流路を画定するように離間させた列２６に配列することができる。列２６同士の間の空気流路は、例えば、限定するわけではないが、１ｍｍから５ｍｍまでとすることができる。空気流路は、空気が（形象２２同士の間の個別ポケットに溜まるのとは対照的に）流路を自由に流通できるように、連続しているか又は実質的に中断のないものとすることができる。
【００１８】
空気流路は、垂直方向のピッチにおいて、具体的には、但し限定するわけではないが、スリーブ１０の上部から下部までの垂直方向軸に対し略Θ＝０°から略Θ＝６０°まで、好適には略Θ＝４５°までのピッチを有することができる。空気流路２４は、熱い飲料では、熱い空気を使用者の手又は指から上方又は下方に逃がすことにより、当該熱い飲料からの熱を逸らすことに寄与し、ひいては水平方向の熱絶縁に寄与することができる。熱が逸れることで、使用者が保持したときの快適性が増す。更には、流路は、余分な材料を使用することなしにスリーブの剛性を高めることができる。
【００１９】
図２Ｂは、組み立て後のスリーブ又は容器ブランク１０の断面図である。この図は、図２Ａの形象２２を、例えば図２Ａの陥没又は隆起形象２２の列２６状に形成することによって、作成され得る空気流路の断面図を示している。（軽微な修正はあるものの、図１８の容器１８００の断面も同様に見えるであろう。）スリーブ１０のブランクは、カップから取り外したとき、スリーブ１０を平板に折り畳めるように、折り目３２及び３４を含んでいてもよい。平板に折り畳めるようにすることで、スリーブを、すぐに使用できる形態に効率良く包装しておけるようになる。スリーブ１０の平板形態は、更に、カウンター天板の上、保存容器の中、箱の中、棚の上などで保存する場合の効率を良くする。
【００２０】
スリーブ１０は、折り畳み形態から、例えば折り目３２及び３４を内向きに押すことにより、展開形態に変化させることができる。スリーブ１０を展開形態にすると、図１の容器１２を挿通できる開口が画定される。
【００２１】
図３は、例示となる、孤立させた形象２２の３次元レンダリングを示している。この例では、形象２２は、面取りされた半円柱形状である。図示されている様に、Ｘ−Ｙ−Ｚ面で見た場合、形象は例えばｘ−ｙ面で見て概ね多角形の平面形状を有していてもよい。更には、熱の流路は、曲線状の垂直方向又はｚ−方向形状を有していてもよい。
【００２２】
図４Ａは、或る例示的なスリーブのブランク１０を示している。ブランク１０は、僅かな修正（例えば、サイズ又は形状の修正）を加えれば、図１８の容器１８００用のブランクとしても使える。この例では、スリーブ又は容器のブランク１０は、陥没形象であってもよいとされる個々の形象５２で構成されたパターンを有している。形象５２は、エンボス加工及び／又はデボス加工の製法によりスリーブ１０に形成することができ、スリーブ１０の上部１８で始まりスリーブ１０の下部２０で終わる列５６に配列することができる。
【００２３】
それぞれの形象５２は、形状を有することができる。この例は、曲線状の端を有する略矩形の形象５２を示している。しかしながら、形象５２は、如何なる形状であってもよく、例えば、限定するわけではないが、方形、多角形、三角形、円形、長円形、ダイヤモンド形、又はそれらの任意の組合せとすることができる。この例の形象５２は、例えば１ｍｍから３ｍｍまでの深さを有することができる。しかしながら、他の深さが使用されていてもよい。
【００２４】
この例では、スリーブは陥没形象５２を含んでいる。この例の形象５２は、スリーブ１０に、エンボス加工及び／又はデボス加工の製法（例えば、インライン又はオフラインの回転式金型又はプラッタ金型）により、スリーブ１０の第１縁１８で始まりスリーブ１０の第２縁２０又はその付近で終わる列５６状に形成することができる。陥没形象５２は、この例での様にスリーブ１０上にパターンを形成するように配置されていてもよいし、及び／又は、形象５２は、スリーブ１０上に不規則に置かれていてもよい。形象５２は、互いから離間していてもよいし、連続していてもよい。互いから離間させる場合、形象５２は、製造能力に基づいて実現でき得る最も詰まった間隙から数ミリメートルまでの間隙、或いは、より具体的にいうと、例えば、限定するわけではないが略１ｍｍから略５ｍｍまでの間隙、を有することができる。形象５２の列５６同士も互いから離間させることができる。列５６同士の間の間隙は、例えば、限定するわけではないが１ｍｍから５ｍｍまでとすることができる。
【００２５】
列５６同士の間の間隙は空気流路を画定又は作成することができる。空気流路は、垂直方向のピッチにおいて、スリーブ１０の上部１８から下部２０までの垂直方向軸に対し略Θ＝０°から略Θ＝６０°まで、好適には略Θ＝４５°までのピッチを有することができる。空気流路２４は、空気が流路を自由に流通できるように、連続しているか又は実質的に中断のないものとすることができる。空気流路は、熱い飲料では、空気を使用者の手又は指から上方又は下方に逃がすことにより、当該熱い飲料からの熱を逸らすことに寄与することができる。熱が逸れることで、スリーブの水平方向の熱絶縁性が高まり、ひいては使用者が保持したときの快適性が増す。更には、流路は、余分な材料を使用することなしにスリーブ又は容器の剛性を高めることができる。
【００２６】
図４Ｂは、図１のスリーブ１０の断面図である（そして、軽微な修正を加えれば、図１８の容器１８００の断面の外観にも近似し得る）。この図は、形象を、例えば図４Ａの陥没形象５２の列５６であって、スリーブ１０の上部１８又はその付近で始まりスリーブ１０の下部２０で終わる列５６状に形成することによって、作成され得る空気流路を示している。
【００２７】
図５Ａは、或る例示的なスリーブ１０のブランクを示している。この例のブランク１０は、僅かな修正（例えば、サイズ又は形状の修正）を加えれば、図１８の容器１８００用のブランクとしても使える。この例では、スリーブ１０の面は、個々の形象６２、６８で構成されたパターンを含んでいて、形象の幾つかは陥没形象６２、幾つかは隆起形象６８とすることができる。この例の形象６２、６８は、スリーブ１０の上部１８又はその付近で始まりスリーブ１０の下部２０又はその付近で終わる列６６、６９に配列することができる。列は、均一的に、６６の様に陥没形象６２から成っていてもよいし、６９の様に隆起形象６８から成っていてもよいし、又はそれらの組合せから成っていてもよい。
【００２８】
それぞれの形象６２、６８は、形状を有することができる。形象６２、６８の形状は、同じであってもよいし、互いに異なっていてもよい。この例は、曲線状の端を有する略矩形の形象６２、６８を示している。しかしながら、形象６２、６８は、如何なる形状であってもよく、例えば、限定するわけではないが、方形、多角形、三角形、円形、長円形、ダイヤモンド形、又はそれらの任意の組合せとすることができる。この例の形象６２、６８は、例えば１ｍｍから３ｍｍまでの深さを有することができる。しかしながら、他の深さが使用されていてもよい。
【００２９】
以上に論じられている様に、この例の形象６２、６８は、スリーブ１０に、スリーブの上部１８又はその付近で始まりスリーブ１０の下部２０又はその付近で終わる列６６、６９状に形成することができる。形象６２、６８は、各々の列６６、６９内で、互いから離間していてもよいし、連続していてもよい。互いから離間させる場合、形象６２、６８は、製造能力に基づいて実現でき得る最も詰まった間隙から数ミリメートルまでの間隙、或いは、より具体的にいうと、例えば、限定するわけではないが略１ｍｍから略５ｍｍまでの間隙、を有することができる。形象６２、６８の列６６、６９同士も互いから離間させることができる。列６６、６９同士の間の間隙は、例えば、限定するわけではないが略１ｍｍから略５ｍｍまでとすることができる。
【００３０】
スリーブは、更に、列６６、６９同士の間の間隙の結果である空気流路を含むことができる。空気流路は、垂直方向のピッチにおいて、例えば、限定するわけではないが、スリーブ１０の上部１８から下部２０までの垂直方向軸に対し略Θ＝０°から略Θ＝６０°まで、好適には略Θ＝４５°までのピッチを有することができる。空気流路は、実質的に中断のないものとすることができ、例えば熱い飲料では、空気を使用者の手又は指から上方又は下方に逃がすことにより、当該熱い飲料からの熱を逸らすことに寄与することができる。熱を逸らすことは、水平方向の熱絶縁に寄与し、使用者が保持したときの快適性を高めることができる。更には、流路は、余分な材料を使用することなしにスリーブの剛性を高めることができる。
【００３１】
図５Ｂは、図１のスリーブ１０の断面図である。（軽微な修正を加えれば、図１８の容器１８００の断面の外観を見せる。）この図は、形象６２、６８を、例えば陥没列６６又は隆起列６９状に形成することによって、作成され得る空気流路を示している。
【００３２】
図６Ａは、或る例示的なスリーブ１０のブランクを示している。この例のスリーブ１０のブランクは、僅かな修正（例えば、サイズ又は形状の修正）を加えれば、図１８の容器１８００用のブランクとして使える。この例では、スリーブ１０は、個々の形象７２、７８で構成されたパターンを有していて、形象の幾つかは陥没形象７２、幾つかは隆起形象７８とすることができる。この例の形象７２、７８は、例えば、陥没形象７２と隆起形象７８の混合対７６に配列することができる。代わりに、形象７２、７８は、陥没形象７２のみの対７６や隆起形象７８のみの対７６、又は、更に３つ組、４つ組、或いはそれ以外の様式に配列することもできる。追加的又は代替的に、形象７２、７８は、陥没形象７２−陥没形象７２−隆起形象７８や隆起形象７８−隆起形象７８−陥没形象７２などの様な、反復パターンや不規則パターンで交互になるように配列されていてもよい。形象７２、７８は、（線７７の印が付けられた段により図示されている）段を横切って（例えば、陥没形象７２、隆起形象７８）になっていてもよいし、或いは形象７２、７８は、列を下って交互（例えば、陥没形象７２、隆起形象７８）になっていてもよい。例えば、形象７２、７８は、段を横切って交互になっていて且つ列を下って交互になっていてもよい。別の例では、形象７２、７８は、段７７を横切って交互になっているが、列７９に亘って交互になっていない。配列については他の例も考えられる。
【００３３】
それぞれの形象７２、７８は、形状を有することができる。形象７２、７８の形状は、同じであってもよいし、互いに異なっていてもよい。この例は、曲線状の端を有する略矩形の形象７２、７８を示している。しかしながら、形象７２、７８は、如何なる形状であってもよく、例えば、限定するわけではないが、方形、多角形、三角形、円形、又はそれらの任意の組合せとすることができる。この例の形象７２、７８は、例えば略１ｍｍから略３ｍｍまでの深さを有することができる。しかしながら、他の深さが使用されていてもよい。
【００３４】
以上に論じられている様に、この例の形象７２、７８は、スリーブ１０に、対７６にして、又はそれ以外の様式で、形成することができる。形象７２、７８の対７６は、示されている様にオフセット配列に配列することができ、対７６内で互いから離間していてもよいし、連続していてもよい。互いから離間させる場合、形象７２、７８は、製造能力に基づいて実現でき得る最も詰まった間隙から数ミリメートルまでの間隙、或いは、例えば、限定するわけではないが略２ｍｍから略５ｍｍまでの間隙、を有することができる。対７６同士も互いから離間させることができ、例えばオフセットされていてもよい。対７６同士の間の間隙は、何れの方向についても、例えば、限定するわけではないが略１ｍｍから略５ｍｍまでとすることができる。
【００３５】
形象７２、７８は、空気流路を画定するように配列することができる。例えば、スリーブ１０の列７９同士の間の間隙は、空気流路を画定することができる。空気流路は、例えば、限定するわけではないが、略Θ＝６０°の垂直方向のピッチを有することができる。スリーブ１０の上部１８から下部２０までの垂直方向軸に対し略Θ＝４５°から略Θ＝３０°までが好適である。空気流路は、実質的に中断がなく、例えば熱い飲料では、熱い空気を使用者の手又は指から上方又は下方に逃がすことにより、当該熱い飲料からの熱を逸らすことに寄与することができる。熱を逸らすことは、水平方向の熱絶縁に寄与し、使用者が保持したときの快適性を高めることができる。更には、流路は、余分な材料を使用することなしにスリーブの剛性を高めることができる。
【００３６】
図６Ｂは、スリーブ１０の断面図であり、図１８の容器１８００の断面の外観にも近似し得る。この図は、陥没形象７２を隆起形象７８と交互にした列７９により作成又は画定される空気流路を示しており、それらの形象は例えばエンボス加工及び／又はデボス加工することができる。
【００３７】
図７から図１８は、形象形状、形象の形成、及び列の配列について幾つかの考えられる変型を示している。
【００３８】
図７は、スリーブ１０のブランクの配列を、例えばシート材料８４の切れ目７５として示している。シート材料８４は、スリーブ１０の１つ又はそれ以上のブランクを含むことができるが、図示はされていないものの、シート材料は図１８の容器１８００の１つ又はそれ以上のブランクを含むこともできる。この例のブランク１０は、僅かな修正（例えば、サイズ又は形状の修正）を加えれば、図１８の容器１８００用のブランクとして使える。スリーブ１０のブランクは、シート材料８４上に反復パターンで配置されている。
【００３９】
この例での様に、隆起形象又は陥没形象とすることのできる形象８２は、シート材料８４全域に形成されていてもよい。形象８２を形成した後、スリーブ１０のブランクを切れ目７５に沿って離してゆくことにより、スリーブをシート材料から分離することができる。この例は、どの様にして形象８２を異なった形状に作成することができるかも示している。この例では、形象８２は、略三角形として示されている。この例の形象８２は、スリーブ１０のブランクに、エンボス加工及び／又はデボス加工の製法（例えば、インライン又はオフラインの回転式金型又プラテン金型）により形成することができ、スリーブ１０の上部１８で始まりスリーブ１０の下部２０又はその付近で終わる列８３に配列することができる。形象８２は、この例での様に、スリーブ１０上にパターンを形成するように配置されていてもよいし、形象８２は、ここで開示されている他の例での様に、スリーブ１０上に不規則に置かれていてもよい。更には、形象８２は、図示されている様にシート材料の面に水平になるように配列されていてもよいし、或いは以上の図（例えば図２Ａ）での様にスリーブ１０の弧に従っていてもよい。
【００４０】
図８は、別の例示的なスリーブ１０を含んでいるブランクであって、形成されている形象８７、８８の考えられ得る形状と設計の変型を例示しているブランクを示している。この例では、形象８７、８８は、略三角形として示されている。この例の形象８７、８８は、エンボス加工及び／又はデボス加工の製法（例えば、インライン又はオフラインの回転式金型又はプラテン金型）により、隆起形象８７又は陥没形象８８としてスリーブ１０に形成することができ、スリーブ１０の上部１８で始まりスリーブ１０の下部２０又はその付近で終わる列８５、８６に配列することができる。この例では、形象８７、８８は、隆起形象の列８５と陥没形象の列８６を交互にして配列されている。形象８７、８８は、この例での様に、スリーブ又は容器のブランク１１上にパターンを形成するように配列することができるが、形象８７、８８は、以上の例での様に、スリーブ上に不規則に置かれていてもよい。代わりに、パターンは他の様式、例えば、エンボス形象列８５−隆起形象列８５−陥没形象列８６や隆起形象列８６−陥没形象列８６−隆起形象列８５などの様な、反復パターンなどで交互にされていてもよい。
【００４１】
列８５、８６同士の間の間隙は空気流路となり得、空気流路は、垂直方向のピッチにおいて、例えば、限定するわけではないが、スリーブ１０の上部１８から下部２０までの垂直方向軸に対し略Θ＝０°から略Θ＝６０°まで、好適には略Θ＝４５°までのピッチとすることができる。空気流路は、熱い空気を使用者の手又は指から上方又は下方に逃がすことより熱を支援する。
【００４２】
図９は、形象形状、形象の形成、及び列の配列における或る変型を示している。この例では、形象９４は、長円形とすることができ、スリーブ１０に様々なサイズで形成することができる。形成されるサイズの数はいくつあってもよい。以上に論じられている様に、形象９４は、隆起状、陥没状、又はそれらの組合せとすることができ、例えば、エンボス加工及び／又はデボス加工により形成することができる。形象９４は、スリーブ１０の上部１８からスリーブ１０の下部２０まで列状に形成されていてもよい。形象９４は、列９６内で上下に並んで配列されていてもよい。それぞれの形象９６は、同じサイズの形象９４で構成されていてもよいし、様々なサイズの形象９４で構成されていてもよい。以上に論じられている様に、列９６内の形象９４は、連続していてもよいし、互いから離間していてもよい。列９６を互いから離間させれば、列と列の間の空間は空気流路を画定する。列９６及び／又は空気流路は、弧に従うように配列されていてもいし、或いは代わりに列９６及び／又は空気流路は、図１０の様にシート材料の面に水平に配列されていてもよい。
【００４３】
図１１は、形象の代わりのパターンであって、長円形であってスリーブ又は容器のブランク１１に均一サイズで形成することができる形象１１２のパターンを示している。以上に論じられている様に、形象１１２は、隆起状、陥没状、又はそれらの組合せとすることができ、例えば、エンボス加工及び／又はデボス加工により形成することができる。形象１１２は、スリーブ１０の上部１８からスリーブ１０の下部２０まで列状に形成されていてもよい。形象１１２は、列１１４内で上下に並んで配列されていてもよい。それぞれの列１１４は、同じサイズの形象１１２で構成されていてもよい。それぞれの列１１４は、互いに例えば略１ｍｍから５ｍｍ離間していてもよく、更に、それぞれの列１１４は、隣り合う列１１４からオフセットされていてもよい。列同士の間の空間は空気流路を画定することができ、空気流路では、垂直方向のピッチを、例えば、限定するわけではないが、スリーブ又は容器のブランク１０の上部１８から下部２０までの垂直方向軸に対し略Θ＝６０°、好適には略Θ＝４５°から略３０°までとすることができる。以上に論じられている様に、列１１４内の形象１１２は、連続していてもよいし、互いから離間していてもよい。列１１４は、図示の様にシート材料の面に水平に配列されていてもよいし、或いは代わりに、列１１４はスリーブの弧に従うように配列されていてもよい。
【００４４】
図１２及び図１３は、形象の代わりのパターンであって、長円形であってもよく、スリーブ１０に図示の様に均一サイズで、又は様々なサイズで、形成することができる形象１２０、１３０のパターンを示している。以上に論じられている様に、形象１２０、１３０は、隆起状、陥没状、又はそれらの組合せとすることができ、例えば、エンボス加工及び／又はデボス加工により形成することができる。形象１２０、１３０は、スリーブ又は容器のブランク１１の上部１８からスリーブ又は容器のブランクの下部２０まで列１２２、１３２状に形成されていてもよい。形象１２０、１３０は、列１２２、１３２内で、上下に並んで配列されていてもよい。それぞれの列１２２、１３２は、互いに例えば略１ｍｍから５ｍｍ離間していてもよく、更に、それぞれの列１２２、１３２は、隣り合う列１１４からオフセットされていてもよい。列と列の間の空間は空気流路を画定することができ、空気流路では、垂直方向のピッチを、例えば、限定するわけではないが、スリーブ１０の上部１８から下部２０までの垂直方向軸に対し略Θ＝０からΘ＝６０°まで、好適には略４５°までとすることができる。以上に論じられている様に、列１２４、１３４内の形象１２０、１３０は、連続していてもよいし、互いから離間していてもよい。図１２及び図１３は、図１０及び図１１の形象の配置に比べて、全体的に近接して置かれている形象１２０、１３０を示している。列１３２は、図１３に示されている様にシート材料の面に水平に配列されていてもよいし、或いは代わりに、列１２２、１３２は、図１２に示されている様にスリーブ又は容器のブランクの弧に従うように配列されていてもよい。
【００４５】
図１４及び図１５は、水平方向及び垂直に近い方向へ熱が流れるのを許容することができる空気流路を維持しながらも、形象１４０、１５０を動かして段１４２、１５２内で全体的に近接度を上げた面を示している。形象１４０、１５０は、図１４に示されている様にシート材料の面に水平に整列していてもよいし、或いは図１５に示されている様にスリーブ又は容器のブランクの弧と整列していてもよい。
【００４６】
図１６及び図１７は、熱又は熱い空気を使用者の手から上方及び下方へ多方向に逃がし易くする、形象の形状、配置、及び列の配列の更なる変型を示している。図１６及び図１７は、略台形の形象１６０、１７０を示している。形象は、隣り合う列からオフセットされた列に整列していて、以上に論じられている様に水平方向及び他の方向の空気流路を作成している。
【００４７】
以上の開示は主としてスリーブを引き合いに出しているが、図１８には容器の実施形態が例示されており、以上に説明されている形象を刻印した容器の切欠図が示されている。図１から図１７に示されているスリーブブランクは何れも、簡単に、修正を加えて、同じ特徴を有する容器を形成することができる。容器１８００は、リップ部１８１０と、空気流路を画定する列１８０４に配列された形象１８０２と、底部と、随意的な外張り又は外包み１８０８を含むことができる。容器１８００に（例えば、エンボス加工及び／又はデボス加工により）刻印された形象１８０２は、以上に開示又は説明されているパターンの何れであってもよい。空気流路は、実質的に中断がなく、水平方向の絶縁を支援している。
【００４８】
図１９は、図１のスリーブ１０又は図１８の容器１８００を形成するための例示的な方法を示している。枠９０は、エンボス加工及び／又はデボス加工（例えば、インライン又はオフラインの回転式金型又はプラテン金型）により、シート材料に形象を形成する工程を含み、枠９１は、シート材料にスリーブ１０又は図１８の容器１８００のブランクを、例えば切れ目を用いて、切り込む工程を含んでおり、枠９２は、スリーブを切れ目でシート材料から離す工程を含んでいる。これらの工程の順序は、改変されてもよいし、追加の工程が加えられてもよい。
【００４９】
本発明の様々な実施形態を説明してきたが、当業者には、本発明の範囲内に入るものとして更に多くの実施形態及び実装が可能であることが自明であろう。
【符号の説明】
【００５０】
１０  保護スリーブ
１１  ブランク
１２  容器
１４  基底
１６  周縁
１８  第１縁、上部
２０  第２縁、下部
２１  第１面（スリーブ又は容器の内面又は外面）
２２  形象
２３  第２面（スリーブ又は容器の内面又は外面）
２６  列
３２、３４  折り目
５２  形象
５６  列
６２、６８  形象
６６、６９  列
７２、７８  形象
７５  切れ目
７６  対
７７  段
７９  列
８２  形象
８３  段
８４  シート材料
８、８６  列
８７、８８  形象
９４  形象
９６  列
１１２  形象
１１４  列
１２０、１３０  形象
１２２、１３２  列
１４０、１５０  形象
１４２、１５２  段
１６０、１７０  形象
１８００  容器
１８０２  形象
１８０４  列
１８１０  リップ部
【図１】
2012515052.tif 000003
【図２Ａ】
2012515052.tif 000004
【図２Ｂ】
2012515052.tif 000005
【図３】
2012515052.tif 000006
【図４Ａ】
2012515052.tif 000007
【図４Ｂ】
2012515052.tif 000008
【図５Ａ】
2012515052.tif 000009
【図５Ｂ】
2012515052.tif 000010
【図６Ａ】
2012515052.tif 000011
【図６Ｂ】
2012515052.tif 000012
【図７】
2012515052.tif 000013
【図８】
2012515052.tif 000014
【図９】
2012515052.tif 000015
【図１０】
2012515052.tif 000016
【図１１】
2012515052.tif 000017
【図１２】
2012515052.tif 000018
【図１３】
2012515052.tif 000019
【図１４】
2012515052.tif 000020
【図１５】
2012515052.tif 000021
【図１６】
2012515052.tif 000022
【図１７】
2012515052.tif 000023
【図１８】
2012515052.tif 000024
【図１９】
2012515052.tif 000025
【国際調査報告】
2012515052.tif 000026
2012515052.tif 000027
2012515052.tif 000028